(57)【特許請求の範囲】
【請求項１】
シート係止蟻溝にシートを係止させて止めるシート係止用線状部材であって、シートを止めるためにシート係止蟻溝に取り付け時において、シート係止蟻溝の一方の溝縁辺に沿って長さ方向に延びる線状部材の中央部がシート係止蟻溝の溝幅方向内側に向けて凸状に湾曲し且つその中央部が蟻溝底面方向から蟻溝開口部方向に向けて凸状に湾曲した一側辺と、当該一側辺の一端部の一側辺一斜辺角部は溝幅方向内側に向けて斜め鈍角に曲がり、上記一側辺一斜辺角部から溝幅方向内側に向けて斜め鈍角に曲がる線状部材の中央部が蟻溝底面方向から蟻溝開口部方向に向けて凸状に湾曲した一斜辺と、当該一斜辺の一端部の一斜辺他側辺角部はシート係止蟻溝の他方の溝縁辺の長さ方向に鈍角に曲がり、上記一斜辺他側辺角部からシート係止蟻溝の他方の溝縁辺に沿って長さ方向に延びる線状部材の中央部がシート係止蟻溝の溝幅方向内側に向けて凸状に湾曲し且つその中央部が蟻溝底面方向から蟻溝開口部方向に向けて凸状に湾曲した他側辺と、当該他側辺の一端部の他側辺他斜辺角部は溝幅方向内側に向けて斜め鈍角に曲がり、上記他側辺他斜辺角部から溝幅方向内側に向けて斜め鈍角に曲がる線状部材の中央部が蟻溝底面方向から蟻溝開口部方向に向けて凸状に湾曲した他斜辺と、からそれぞれ構成され、当該他斜辺の一端部の他斜辺一側辺角部はシート係止蟻溝の一方の溝縁辺の長さ方向に鈍角に曲がって隣の一側辺に連なり、線状部材がシート係止蟻溝の長さ方向に一側辺、一斜辺、他側辺、他斜辺の順で折り曲げながら繰り返されて形成されることを特徴とするシート係止用凹凸波形線状部材。
【請求項２】
線状部材は断面円形からなる請求項１記載のシート係止用凹凸波形線状部材。
【発明の詳細な説明】
【技術分野】
【０００１】
この発明は、例えば農業用ビニールハウスのビニールシートなどのシートを、農業用ビニールハウスの骨組み付近に取り付けられたシート係止蟻溝に係止させて止める場合に使用するシート係止用凹凸波形線状部材に関するものである。
【背景技術】
【０００２】
農業用ビニールハウスのビニールシートをビニールハウスの骨組み付近に取り付けられたシート係止蟻溝に係止させて止める部材として、例えば図６に示すようなシート係止用凹凸型線状部材が知られている。
図６（Ａ）に示す平面図において、シート係止用凹凸型線状部材１０１は、線状部材の長さ方向に直線状の一側辺、その両側は幅方向にそれぞれ斜め向きに鈍角に折れ曲がった直線状の斜辺、両斜辺のそれぞれの先側は上記一側辺に平行になるように折れ曲がった直線状の他側辺、さらに両他側辺のそれぞれの先側は斜め上向きに鈍角に折れ曲がった直線状の斜辺、その斜辺の先側は上記直線状の一側辺と同一線上にある隣の一側辺となる凹凸型形状を形成し、この凹凸型形状が線状部材の長さ方向に繰り返された形状から構成されている。また、シート係止用凹凸型線状部材１０１は、図６（Ｂ）の側面図で図示されるように、凹凸のない直線状の形状から構成されている。
つまり、図６（Ｃ）の断面図で図示されるように、シート係止用凹凸型線状部材１０１は、シート係止蟻溝１０２の内部に取り付け時にその溝高さ方向になる凹凸型形状に垂直な方向が凹凸のない直線状の形状から構成されている。このシート係止用凹凸型線状部材１０１は、シート係止蟻溝１０２内の底面にビニールシートなどのシートａを上側から蟻溝底面に押さえ付けて係止さている。
なお、シート係止蟻溝１０２は、シートを蟻溝底面１０２ａに係止させたシート係止用凹凸型線状部材１０１が蟻溝開口部１０２ｂから抜けて外れないように、蟻溝開口部１０２ｂは蟻溝底面１０２ａよりその溝幅が狭く、蟻溝底面１０２ａの左右両側面１０２ｃは蟻溝開口部１０２ｂに向けて斜め溝高さ方向の内側に傾斜している。
【先行技術文献】
【特許文献】
【０００３】
【特許文献１】特開２００５−１２４５２６
【発明の概要】
【発明が解決しようとする課題】
【０００４】
ところで、シートをシート係止蟻溝の蟻溝底面に押さえ付けるシート係止用凹凸型線状部材には、蟻溝底面方向から蟻溝開口部方向の溝高さ方向に向けて抜けて外れようとするシートによって生じる力が常時作用している。つまり、シート係止用凹凸型線状部材には、その平面内の凹凸形状方向に垂直な溝高さ方向にシートからの力が作用している。シート係止用凹凸型線状部材は、蟻溝底面内で凹凸形状になっているが、これに垂直な溝高さ方向には凹凸のない直線状になっている。このため、シート係止用凹凸型線状部材は、蟻溝底面に垂直な溝高さ方向に対し曲げ剛性が余り高くなく、シートによって生じる蟻溝底面に対し溝高さ方向の力に十分に対応できず容易に変形して、シートをしっかりと蟻溝底面に押さえ付けることができず、これが原因でシートがシート係止蟻溝から抜けて外れることが考えられる。
【０００５】
この発明は、上記のような課題に鑑み、その課題を解決すべく創案されたものであって、その目的とするところは、シート係止蟻溝内にシートを係止して止めるに当たり、特に蟻溝底面方向から蟻溝開口部側に向けて抜けて外れようとするシートによって生じる蟻溝底面から溝高さ方向への力に対し、シート係止蟻溝内にシートを係止する線状部材の蟻溝底面に対する垂直向きの溝高さ方向の曲げ剛性を高め、線状部材が蟻溝底面に垂直向きの溝高さ方向に容易に変形することなく確実にシートを押し止めて、シートが容易にシート係止蟻溝から抜けて外れるのを阻止することのできるシート係止用凹凸波形線状部材を提供することにある。
【課題を解決するための手段】
【０００６】
以上の課題を達成するために、この発明は、シート係止蟻溝にシートを係止させて止めるシート係止用線状部材であって、シートを止めるためにシート係止蟻溝に取り付け時において、シート係止蟻溝の一方の溝縁辺に沿って長さ方向に延びる線状部材の中央部がシート係止蟻溝の溝幅方向内側に向けて凸状に湾曲し且つその中央部が蟻溝底面方向から蟻溝開口部方向に向けて凸状に湾曲した一側辺と、当該一側辺の一端部の一側辺一斜辺角部は溝幅方向内側に向けて斜め鈍角に曲がり、上記一側辺一斜辺角部から溝幅方向内側に向けて斜め鈍角に曲がる線状部材の中央部が蟻溝底面方向から蟻溝開口部方向に向けて凸状に湾曲した一斜辺と、当該一斜辺の一端部の一斜辺他側辺角部はシート係止蟻溝の他方の溝縁辺の長さ方向に鈍角に曲がり、上記一斜辺他側辺角部からシート係止蟻溝の他方の溝縁辺に沿って長さ方向に延びる線状部材の中央部がシート係止蟻溝の溝幅方向内側に向けて凸状に湾曲し且つその中央部が蟻溝底面方向から蟻溝開口部方向に向けて凸状に湾曲した他側辺と、当該他側辺の一端部の他側辺他斜辺角部は溝幅方向内側に向けて斜め鈍角に曲がり、上記他側辺他斜辺角部から溝幅方向内側に向けて斜め鈍角に曲がる線状部材の中央部が蟻溝底面方向から蟻溝開口部方向に向けて凸状に湾曲した他斜辺と、からそれぞれ構成され、当該他斜辺の一端部の他斜辺一側辺角部はシート係止蟻溝の一方の溝縁辺の長さ方向に鈍角に曲がって隣の一側辺に連なり、線状部材がシート係止蟻溝の長さ方向に一側辺、一斜辺、他側辺、他斜辺の順で折り曲げながら繰り返されて形成されることを特徴とする。
【発明の効果】
【０００７】
この発明に係るシート係止用凹凸波形線状部材によれば、シート係止用凹凸波形線状部材の一側辺及び他側辺は、それぞれ線状部材の中央部がシート係止蟻溝の溝幅方向内側に向けて凸状に湾曲し且つ蟻溝底面方向から蟻溝開口部方向に向けて凸状に湾曲し、シート係止用凹凸波形線状部材の一斜辺及び他斜辺は、それぞれ線状部材の中央部が蟻溝底面方向から蟻溝開口部方向に向けて凸状に湾曲しているので、蟻溝底面方向から蟻溝開口部方向つまり蟻溝底面方向から溝高さ方向に対してその凸状の湾曲によって高さを増して、その溝高さ方向の曲げ剛性を高めることができる。
これにより、シート係止用凹凸波形線状部材を使用してシート係止蟻溝内にシートを係止して止めるに当たり、特に蟻溝底面方向から蟻溝開口部方向に向けて抜けて外れようとするシートによって生じる蟻溝底面から蟻溝開口部向きへの力に対し、シート係止蟻溝内にシートを係止するシート係止用凹凸波形線状部材の蟻溝底面方向から蟻溝開口部方向つまり蟻溝底面方向から溝高さ方向への曲げ剛性を高め、シート係止用凹凸波形線状部材が蟻溝底面に垂直向きの溝高さ方向に容易に変形することなく確実にシートをシート係止蟻溝の内側に押し止めて、シートが容易にシート係止蟻溝から抜けて外れるのを阻止することができる。
これに加えて、シート係止用凹凸波形線状部材の一側辺及び他側辺の両端部のそれぞれの角部は、その下面側がシートを間に挟んで蟻溝底面の両溝縁辺に間接的に当たり、シートを蟻溝底面の両溝縁辺にそれぞれ押圧して押止することによって、また、一側辺及び他側辺の中央部の斜め溝高さ方向に凸状の湾曲する外側の側面がシートを間に挟んで両側の蟻溝側面に間接的に当たり、シートを両側の蟻溝側面にそれぞれ押圧して押止することによって、より確実にシートをシート係止蟻溝の内側に押し止めて、シートが容易にシート係止蟻溝から抜けて外れるのを阻止することができる等、極めて新規的有益なる効果を奏するものである。
【図面の簡単な説明】
【０００８】
【図１】（Ａ）〜（Ｅ）はこの発明を実施するための形態を示すもので、（Ａ）はシート係止用凹凸波形線状部材の部分平面図、（Ｂ）は同図（Ａ）の側面図、（Ｃ）は同図（Ａ）のＣ−Ｃ矢視断面図、（Ｄ）は同図（Ａ）のＤ−Ｄ矢視断面図、（Ｅ）は同図（Ａ）のＥ−Ｅ矢視側面図である。
【図２】（Ａ）はこの発明を実施するための形態を示すシート係止用凹凸波形線状部材の平面図、（Ｂ）は同図（Ａ）の側面図である。
【図３】（Ａ）はこの発明を実施するための形態を示すシート係止用凹凸波形線状部材でシートをシート係止蟻溝に取り付け時の断面図、（Ｂ）は同図（Ａ）の分解断面図である。
【図４】この発明を実施するための形態を示すシート係止用凹凸波形線状部材でシートをシート係止蟻溝に取り付け時の部分斜視図  この発明を実施するための形態を示す図である。
【図５】（Ａ）はこの発明を実施するための形態を示すシート係止用凹凸波形線状部材でシートをシート係止蟻溝に取り付け時の部分平面図、（Ｂ）は同図（Ａ）の部分側面図、（Ｃ）は同図（Ａ）の断面図である。
【図６】（Ａ）は従来のシート係止用凹凸型線状部材でシートをシート係止蟻溝に取り付け時の断面図、（Ｂ）は従来のシート係止用凹凸型線状部材の平面図、（Ｃ）は同図（Ｂ）の側面図である。
【発明を実施するための形態】
【０００９】
以下、図面に記載の発明を実施するための形態に基づいて、この発明をより具体的に説明する。
【００１０】
図において、シート係止用凹凸波形線状部材１は、例えば農業用ビニールハウスのビニールシートなどのシートａを、シート係止蟻溝２に係止させて止める場合に使用するものである。シート係止蟻溝２は例えば農業用ビニールハウスの骨組み付近に取り付けられている。シートａはこのシート係止蟻溝２に係止されて止められることで、農業用ビニールハウスはその全体がシートａで覆われることになるのである。
【００１１】
シートａがその内部で係止されるシート係止蟻溝２は、蟻溝底面２１の底面溝幅に対してその出入り口となる蟻溝開口部２２の開口幅は狭くなっている。つまり、シート係止蟻溝２は、蟻溝の両側面の蟻溝側面２３及び蟻溝側面２４は蟻溝底面２１から蟻溝開口部２２に向かってつまり溝高さ方向に向かって互いに溝の内側に向かって傾斜して、徐々にその溝幅が狭くなっていて、シートａがその内側から抜けにくくなっている。
【００１２】
シート係止用凹凸波形線状部材１は、シート係止蟻溝２内にシートａを係止して止めるに当たり、特に蟻溝底面２１方向から出入り口の蟻溝開口部２２に向かって抜けて外れようとするシートａによって生じる蟻溝底面２１方向から蟻溝開口部２２方向に向けての力に対し、シート係止蟻溝２内にシートａを係止する線状部材１ａの蟻溝底面２１方向から蟻溝開口部２２方向に向けて、つまり蟻溝底面２１に垂直な溝高さ方向の曲げ剛性を高める構造になっている。この構造によって、シート係止用凹凸波形線状部材１は、蟻溝底面２１方向から蟻溝開口部２２方向に向けて、つまり蟻溝底面２１に垂直な溝高さ方向に容易に変形することなく確実にシート係止蟻溝２の内側にシートを押し止めて、シートが容易にシート係止蟻溝２の蟻溝開口部２２から抜けて外れるのを阻止する機能を果たす。
【００１３】
シート係止用凹凸波形線状部材１は、例えば断面円形の長い線状部材１ａを、一側辺１１、一斜辺１２、他側辺１３、他斜辺１４、再び隣側の、一側辺１１、一斜辺１２、他側辺１３、他斜辺１４、・・・の順に折り曲げ形成し、これを長さ方向にわたって何度も繰り返すことで形成される。シート係止用凹凸波形線状部材１に使用する線形部材１ａの材質には、金属製、樹脂製などが用いられる。線状部材１ａには直径が例えば２mm〜５mmのものが使用される。特に線状部材１ａが金属材料の場合には、雨水などによって錆びないように側周面は防水性樹脂で被覆されたものが使用される。
【００１４】
また、線状部材１ａの材質の樹脂製としては、例えば合成樹脂モノフィラメントなどが使用されることがある。合成樹脂モノフィラメントは、強度や耐久性、さらに耐水性にすぐれている。特に耐水性に優れていることは生け簀用網として使用されていることで実証済みである。この合成樹脂モノフィラメントには耐久性や強度に優れた例えばポリエステルが使用される。合成樹脂モノフィラメントの線状部材１ａには、直径が例えば２mm〜５mmのものが使用される。
【００１５】
シート係止用凹凸波形線状部材１の折り曲げ形成される一部を構成する上記の一側辺１１は、シート係止蟻溝２の蟻溝底面２１の一方の溝縁辺２３ａに沿って長さ方向に延びる線状部材１ａの中央部１１ａがシート係止蟻溝２の蟻溝底面２１の溝幅方向内側に向けて凸状に湾曲し且つその中央部１１ａが蟻溝底面２１方向から蟻溝開口部２２方向に向けてつまり蟻溝底面２１方向から溝高さ方向に向けて凸状に湾曲した構成から形成されている。つまり、一側辺１１の中央部１１ａは、シート係止蟻溝２の断面方向からみたとき、斜め溝高さ方向の内側向きに傾いている。
【００１６】
一側辺１１の中央部１１ａの傾き角度α１は、蟻溝底面２１の一方の溝縁辺２３ａから内側に、且つ、蟻溝底面２１から溝高さ方向に傾いて形成された蟻溝側面２３の傾き角度β１より僅かに大きくなるように曲げ形成されている。溝縁辺２３ａでの蟻溝底面２１に対する中央部１１ａ及び蟻溝側面２３の傾き角度は共に９０度よりも小さく、９０度＞α１＞β１となる。
【００１７】
一側辺１１が形成される線状部材１ａは弾性を有している。このため、シート係止用凹凸波形線状部材１をシート係止蟻溝２の内部に取り付けたとき、蟻溝側面２３に相対面する一側辺１１の蟻溝底面２１方向から蟻溝開口部２２方向に向けてつまり溝高さ方向に向けて凸状に湾曲する中央部１１ａを有する外向きの側面１１ｂは蟻溝側面２３に向けて押圧した状態になる。この一側辺１１の斜め溝高さ向きに凸状に湾曲する外側の側面１１ｂと蟻溝側面２３との間にシートａの一部が挟まれるが、蟻溝側面２３に向けて押圧する一側辺１１の外側の側面１１ｂと蟻溝側面２３との間でシートａの一部は斜め溝高さ向きに凸状に湾曲する曲線状に沿って確りと挟圧されることになり、シートａは外れにくくなっている。
【００１８】
一側辺１１の溝高さ方向に凸状に湾曲する中央部１１ａを有する線状部材１ａは、従来の湾曲しない直線状の線状部材に比べて、シート係止蟻溝２の内部で蟻溝底面２１方向から蟻溝開口部２２方向に向けて、つまり蟻溝底面２１方向から溝高さ方向にその分高くなり、その高くなったことによって、シート係止蟻溝２の断面方向での溝高さ方向に対する曲げ剛性が大きくなる。すなわち、溝高さ方向に対する曲げ剛性は、高さの３乗に比例するので、中央部１１ａの高さが従来に比べて仮に２倍になると、曲げ剛性は数倍大きくなり、シートａから生じる溝高さ方向への力に対し、一側辺１１の線状部材１ａは従来の線状部材に比べて数倍は変形しにくくなって、シートａはシート係止蟻溝２から外れにくくなる。
【００１９】
シート係止用凹凸波形線状部材１の折り曲げ形成される一部を構成する上記の一斜辺１２は、上記一側辺１１の一端部となる一側辺一斜辺角部１５からシート係止蟻溝２の蟻溝底面２１の溝幅方向内側に向けて斜め鈍角に曲がる平面からみて、つまり蟻溝開口部２２方向から蟻溝底面２１方向をみて、直線状の線状部材１ａの中央部１２ａが蟻溝底面２１方向から蟻溝開口部２２方向に向けて凸状に湾曲した構成から形成されている。
【００２０】
つまり、上記一側辺一斜辺角部１５はシート係止蟻溝２の蟻溝底面２１の溝幅方向内側に向けて斜め鈍角に曲がっているが、この曲がった位置に一斜辺１２は形成されている。一側辺一斜辺角部１５は一側辺１１と一斜辺１２の境界部分になり、その鈍角な内角の角度は例えば１２０度前後である。
【００２１】
シート係止蟻溝２内へのシート係止用凹凸波形線状部材１の取り付け時において、平面からみてつまり蟻溝開口部２２方向から蟻溝底面２１方向をみて、一斜辺１２は蟻溝底面２１を線状部材１ａが斜め直線状に横断するように位置する。これに対して、上記平面に垂直な方向のシート係止蟻溝２の断面方向からみると、線状部材１ａの中央部１２ａが蟻溝底面２１方向から蟻溝開口部２２方向に向けて凸状に湾曲した形状に形成されている。
【００２２】
一斜辺１２の蟻溝底面２１方向から蟻溝開口部２２方向に向けて凸状に湾曲する中央部１２ａを有する線状部材１ａは、従来の溝高さ方向に湾曲しない直線状の線状部材に比べて、シート係止蟻溝２の内部で蟻溝底面２１方向から蟻溝開口部２２方向に向けてつまり蟻溝底面２１から溝高さ方向にその分高くなり、その高くなったことによって、シート係止蟻溝２の断面方向での溝高さ方向に対する曲げ剛性が大きくなる。すなわち、溝高さ方向に対する曲げ剛性は、高さの３乗に比例するので、中央部１２ａの高さが従来に比べて仮に２倍になると、曲げ剛性は数倍大きくなり、シートａから生じる上向きの力に対し、一斜辺１２の線状部材１ａは従来の線状部材に比べて数倍は変形しにくくなって、シートａはシート係止蟻溝２から外れにくくなる。
【００２３】
シート係止用凹凸波形線状部材１の折り曲げ形成される一部を構成する上記の他側辺１３は、シート係止蟻溝２の蟻溝底面２１の他方の溝縁辺２４ａに沿って長さ方向に延びる線状部材１ａの中央部１３ａがシート係止蟻溝２の蟻溝底面２１の溝幅方向内側に向けて凸状に湾曲し且つその中央部１３ａが蟻溝底面２１方向から蟻溝開口部２２方向に向けてつまり蟻溝底面２１方向から溝高さ方向に向けて凸状に湾曲した構成から形成されている。つまり、他側辺１３の中央部１３ａは、シート係止蟻溝２の断面方向からみたとき、斜め溝高さ方向の内側向きに傾いている。
【００２４】
上記一斜辺他側辺角部１６はシート係止蟻溝２の蟻溝底面２１の他方の溝縁辺２４ａの長さ方向に鈍角に曲がっているが、この曲がった位置に他側辺１３は形成されている。一斜辺他側辺角部１６は一斜辺１２と他側辺１３の境界部分になり、その鈍角な内角の角度は例えば１２０度前後である。このとき、一斜辺１２の両端側の角部１５，１６に鈍角な角度で曲がっている一側辺１１と他側辺１３とは、反対方向に曲がっている。
【００２５】
他側辺１３の中央部１３ａの傾き角度α２は、蟻溝底面２１の他方の溝縁辺２４ａから内側に、且つ、蟻溝底面２１から溝高さ方向に傾いて形成された蟻溝側面２４の傾き角度β２より僅かに大きくなるように曲げ形成されている。溝縁辺２４ａでの蟻溝底面２１に対する中央部１３ａ及び蟻溝側面２４の傾き角度は共に９０度よりも小さく、９０度＞α２＞β２となる。
【００２６】
なお、他側辺１３の中央部１３ａの傾き角度α２は、前記の一側辺１１の中央部１１ａの傾き角度α１とほぼ対称関係になっており、α２≒α１である。同様に、蟻溝底面２１の他方の溝縁辺２４ａから内側に、且つ、蟻溝底面２１から溝高さ方向に傾いて形成された蟻溝側面２４の傾き角度β２は、前記の蟻溝底面２１の一方の溝縁辺２３ａから内側に、且つ、蟻溝底面２１から溝高さ方向に傾いて形成された蟻溝側面２３の傾き角度β１とほぼ対称関係になっており、β２≒β１である。
【００２７】
他側辺１３が形成される線状部材１ａは弾性を有している。このため、シート係止用凹凸波形線状部材１をシート係止蟻溝２の内部に取り付けたとき、蟻溝側面２４に相対面する他側辺１３の蟻溝底面２１方向から蟻溝開口部２２方向に向けてつまり溝高さ方向に向けて凸状に湾曲する中央部１３ａを有する外側の側面１３ｂは蟻溝側面２４に向けて押圧した状態になる。この他側辺１３の斜め溝高さ向きに凸状に湾曲する外側の側面１３ｂと蟻溝側面２４との間にシートａの一部が挟まれるが、蟻溝側面２４に向けて押圧する他側辺１３の外側の側面１３ｂと蟻溝側面２４との間でシートａの一部は斜め溝高さ向きに凸状に湾曲する曲線状に沿って確りと挟圧されることになり、シートａは外れにくくなっている。
【００２８】
他側辺１３の溝高さ方向に凸状に湾曲する中央部１３ａを有する線状部材１ａは、従来の湾曲しない直線状の線状部材に比べて、シート係止蟻溝２の内部で蟻溝底面２１方向から蟻溝開口部２２方向に向けて、つまり蟻溝底面２１方向から溝高さ方向にその分高くなり、その高くなったことによって、シート係止蟻溝２の断面方向での溝高さ方向に対する曲げ剛性が大きくなる。すなわち、溝高さ方向に対する曲げ剛性は、高さの３乗に比例するので、中央部１３ａの高さが従来に比べて仮に２倍になると、曲げ剛性は数倍大きくなり、シートａから生じる溝高さ方向への力に対し、他側辺１３の線状部材１ａは従来の線状部材に比べて数倍は変形しにくくなって、シートａはシート係止蟻溝２から外れにくくなる。
【００２９】
シート係止用凹凸波形線状部材１の折り曲げ形成される一部を構成する上記の他斜辺１４は、上記他側辺１３の一端部となる他側辺他斜辺角部１７からシート係止蟻溝２の蟻溝底面２１の溝幅方向内側に向けて斜め鈍角に曲がる平面からみて、つまり蟻溝開口部２２方向から蟻溝底面２１方向をみて、直線状の線状部材１ａの中央部１４ａが蟻溝底面２１方向から蟻溝開口部２２方向に向けて凸状に湾曲した構成から形成されている。
【００３０】
つまり、上記他側辺他斜辺角部１７はシート係止蟻溝２の蟻溝底面２１の溝幅方向内側に向けて斜め鈍角に曲がっているが、この曲がった位置に他斜辺１４は形成されている。他側辺他斜辺角部１７は他側辺１３と他斜辺１４の境界部分になり、その鈍角な内角の角度は例えば１２０度前後である。
【００３１】
シート係止蟻溝２内へのシート係止用凹凸波形線状部材１の取り付け時において、平面からみてつまり蟻溝開口部２２方向から蟻溝底面２１方向をみて、他斜辺１４は蟻溝底面２１を線状部材１ａが斜め直線状に横断するように位置する。これに対して、上記平面に垂直な方向のシート係止蟻溝２の断面方向からみると、線状部材１ａの中央部１４ａが蟻溝底面２１方向から蟻溝開口部２２方向に向けて凸状に湾曲した形状に形成されている。
【００３２】
他斜辺１４の蟻溝底面２１方向から蟻溝開口部２２方向に向けて凸状に湾曲する中央部１４ａを有する線状部材１ａは、従来の溝高さ方向に湾曲しない直線状の線状部材に比べて、シート係止蟻溝２の内部で蟻溝底面２１方向から蟻溝開口部２２方向に向けてつまり蟻溝底面２１から溝高さ方向にその分高くなり、その高くなったことによって、シート係止蟻溝２の断面方向での溝高さ方向に対する曲げ剛性が大きくなる。すなわち、溝高さ方向に対する曲げ剛性は、高さの３乗に比例するので、中央部１４ａの高さが従来に比べて仮に２倍になると、曲げ剛性は数倍大きくなり、シートａから生じる上向きの力に対し、一斜辺１４の線状部材１ａは従来の線状部材に比べて数倍は変形しにくくなって、シートａはシート係止蟻溝２から外れにくくなる。
【００３３】
上記他斜辺１４の一端部となる他斜辺一側辺角部１８はシート係止蟻溝２の蟻溝底面２１の一方の溝縁２３ａの長さ方向に鈍角に曲がっているが、この曲がった位置に隣の別の新たな一側辺１１が形成されている。上記他斜辺一側辺角部１８は他斜辺１４と新たな隣の一側辺１１の境界部分になり、その鈍角な内角の角度は例えば１２０度前後である。このとき、他斜辺１４の両端側に鈍角な角度で曲がっている他側辺１３と別の新たな隣の一側辺１１とは、反対方向に曲がっている。別の新たな隣の一側辺１１の構成は前記の一側辺１１の構成と同一である。
【００３４】
以下、シート係止用凹凸波形線状部材１は、一側辺１１、一斜辺１２、他側辺１３、他斜辺１４の順で長さ方向に繰り返しながら延設されている。
【００３５】
次に、上記発明を実施するための形態の構成に基づく作用について以下説明する。
例えば農業用ビニールハウスのビニールシートなどのシートａを、農業用ビニールハウスの骨組み付近に取り付けられるシート係止蟻溝２に係止させて止める作業においては、先ずシートａの一部をシート係止蟻溝２の内部にその長さ方向にわたって挿入する一方で、挿入されたシートａの上側からシート係止用凹凸波形線状部材１をシート係止蟻溝２の内部に押し込んでシートａを上側から蟻溝底面２１に押止する。
【００３６】
シート係止蟻溝２の蟻溝開口部２２の溝幅間隔は、蟻溝底面２１の溝幅より狭く、またシート係止蟻溝２の内部に押し込まれるシート係止用凹凸波形線状部材１の両幅側となる一側辺１１と他側辺１３の幅間隔より狭い。このため、シート係止用凹凸波形線状部材１は一側辺１１又は他側辺１３の何れかを下向きして傾けて、蟻溝開口部２２からシート係止蟻溝２の内部に挿入される。
【００３７】
例えば、シート係止用凹凸波形線状部材１の一側辺１１を下向きに傾けて挿入した場合には、一側辺１１をシートａの上側から蟻溝底面２１の一方の溝縁辺２３ａに向けて押止し、それから、他側辺１３を同じようにシートａの上側から蟻溝底面２１の幅方向の向かい合う他方の溝縁辺２３ａに向けて押止する。
【００３８】
これにより、シート係止用凹凸波形線状部材１の一側辺１１の両端部の一側辺一斜辺角部１５と他斜辺一側辺角部１８は、その下面側がシートａを間に挟んで蟻溝底面２１の一方の溝縁辺２３ａに間接的に当たり、シートａを蟻溝底面２１の一方の溝縁辺２３ａに押圧して押止する。同様に、シート係止用凹凸波形線状部材１の他側辺１３の両端部の一斜辺他側辺角部１６と他側辺他斜辺角部１７は、その下面側がシートａを間に挟んで蟻溝底面２１の他方の溝縁辺２４ａに間接的に当たり、シートａを蟻溝底面２１の他方の溝縁辺２４ａに押圧して押止する。
【００３９】
このとき、シート係止用凹凸波形線状部材１をシート係止蟻溝２の内部に押し込む過程で、一側辺１１の外側の側面１１ｂが先にシートａを間に挟んで蟻溝側面２３に間接的に当たることになるが、シート係止用凹凸波形線状部材１の線状部材１ａは弾性を有するため、一側辺１１は一時的にシート係止用凹凸波形線状部材１の中心側となる内側に向けて変形することでシート係止蟻溝２の内部に押し込むことができる。同様に、他側辺１３の外側の側面１３ｂがシートａを間に挟んで蟻溝側面２４に間接的に当たることになるが、線状部材１ａは弾性を有するため、他側辺１３は一時的にシート係止用凹凸波形線状部材１の中心側となる内側に向けて変形することでシート係止蟻溝２の内部に押し込むことができる。
【００４０】
シート係止用凹凸波形線状部材１の両幅側の一側辺１１と他側辺１３は一時的にその内側に向けて変形しながら、シートａを挟んでシート係止蟻溝２の蟻溝底面２１側に取り付けられると、それぞれ弾性復帰して、一側辺１１の外側の側面１１ｂはシートａの一部を蟻溝側面２３に向けて押圧して押止し、同様に、他側辺１３の外側の側面１３ｂはシートａの一部を蟻溝側面２４に向けて押圧して押止する。
【００４１】
このように、シートａをシート係止蟻溝２の内部に押圧しながら押止して係止させるシート係止用凹凸波形線状部材１は、両幅側の一側辺１１の中央部１１ａと他側辺１３の中央部１３ａ、及び両者を連結する一斜辺１２の中央部１２ａと他斜辺１４の中央部１４ａが、それぞれ蟻溝底面２１に対して垂直な溝高さ方向に凸状になっている。このため、シート係止用凹凸波形線状部材１は、全体として蟻溝底面２１の垂直な溝高さ方向に対して曲げ剛性が高まり、シートａによって生じる蟻溝底面２１の溝高さ方向への力に対して、蟻溝底面２１の溝高さ方向に容易に変形せず十分に抵抗して押圧し続け、シートａがシート係止蟻溝２から抜け出すのを阻止することができる。
【００４２】
なお、この発明は上記発明を実施するための形態に限定されるものではなく、この発明の精神を逸脱しない範囲で種々の改変をなし得ることは勿論である。
【符号の説明】
【００４３】
１    シート係止用凹凸波形線状部材
１ａ  線状部材
１１    一側辺
１１ａ  中央部
１１ｂ  側面
１２    一斜辺
１２ａ  中央部
１３    他側辺
１３ａ  中央部
１３ｂ  側面
１４    他斜辺
１４ａ  中央部
１５    一側辺一斜辺角部
１６    一斜辺他側辺角部
１７    他側辺他斜辺角部
１８    他斜辺一側辺角部
２    シート係止蟻溝
２１    蟻溝底面
２２    蟻溝開口部
２３    蟻溝側面
２３ａ  溝縁辺
２４    蟻溝側面
２４ａ  溝縁辺
ａ    シート
【図１】
0006688097.tif 000002
【図２】
0006688097.tif 000003
【図３】
0006688097.tif 000004
【図４】
0006688097.tif 000005
【図５】
0006688097.tif 000006
【図６】
0006688097.tif 000007